(57)【要約】【課題】本発明の課題は、接地用導電部の取付忘れを防止でき、且つ出荷用梱包種類の増加を防ぐと共に管理負担を軽減できる画像形成装置を提供することである。【解決手段】本発明の画像形成装置１において、自動原稿搬送装置５は、画像形成装置本体３の原稿読取面７に開閉自在に設けてあり、接地用導電部１５は突設位置にあるときに自動原稿搬送装置５側に向けて突設してあり、自動原稿装置５を閉じたときに自動原稿装置の導電部２７に接触するようになっており、且つ接地用導電部１５は付属機器５から受けるコード信号に基づいて画像形成装置本体に出没自在になっている。【選択図】図１
2007158743.tif 000002
【特許請求の範囲】
【請求項１】
画像形成装置本体が、画像形成装置本体に装着される付属機器との接地用導電部を備え、接地用導電部は画像形成装置本体に出没自在に設けてあることを特徴とする画像形成装置。
【請求項２】
画像形成装置本体は、接地用導電部を突設位置と突設位置から画像形成装置内の格納位置とに駆動するアクチュエータと、アクチュエータの駆動制御部とを備えることを特徴とする請求項１に記載の画像形成装置。
【請求項３】
画像形成装置本体は、付属機器を取付ける取付部を有し、接地用導電部は、取付部に対する二次元位置が、機種にかかわらず同じ位置としてあることを特徴とする請求項１又は２に記載の画像形成装置。
【請求項４】
付属機器にはコード信号が設定してあり、駆動制御部は、付属機器から受けるコード信号により接地用導電部を突設し又は格納位置に没することを特徴とする請求項１〜３のいずれか一項に記載の画像形成装置。
【請求項５】
付属機器は画像形成装置本体の原稿読取面に開閉自在に設けた自動原稿搬送装置であり、接地用導電部は突設位置にあるときに自動原稿搬送装置側に向けて突設してあり、自動原稿装置を閉じたときに自動原稿装置の導電部に接触することを特徴とする請求項１〜４のいずれか一項に記載の画像形成装置。
【発明の詳細な説明】
【技術分野】
【０００１】
本発明は、自動原稿搬送装置や後処理装置等の付属機器を画像形成装置本体に装着可能な画像形成装置に関する。
【背景技術】
【０００２】
一般に、複写機等の画像形成装置において、画像形成装置本体には、自動原稿搬送装置や、画像形成後の用紙を仕分けするスタック装置等の付属機器を後付けしたり、あるいは画像形成装置本体を共通に用いて機種に応じて付属機器を装着するようになっている。
【０００３】
特許文献１には、画像形成装置本体に自動原稿搬送装置（付属機器）を開閉自在に設けることが開示されている。一方、この特許文献１には直接記載はないが、ＥＭＩ（電磁干渉）対策として、自動原稿搬送装置の接地強化を図る為に、画像形成装置本体に接地用導電部を設け、自動原稿搬送装置の導電部と接触させることにより自動原稿搬送装置の接地強化を図ることが公知である。
【０００４】
【特許文献１】特開２００５−２１５４３３号公報
【発明の開示】
【発明が解決しようとする課題】
【０００５】
しかし、自動原稿搬送装置等の付属機器を画像形成装置本体に取付ける場合に、画像形成装置本体と付属機器との組合せや付属機器の種類によって、ＥＭＩ対策としての接地強化が必要な場合と不必要になる場合とがある為、機種毎に、接地用導電部を同梱したものと、同梱しないものとを設ける必要があった。このため、出荷用梱包種類が増えて、取り扱いが煩雑になると共に管理負担が多くなるという問題があった。
【０００６】
更に、ＥＭＩ対策強化を行う場合に、同梱してある接地用導電部を後付けにより取付ける為、取付け忘れが生じるという問題がある。
【０００７】
そこで、本発明は、接地用導電部の取付忘れを防止でき、且つ出荷用梱包種類の増加を防ぐと共に管理負担を軽減できる画像形成装置の提供を目的とする。
【課題を解決するための手段】
【０００８】
前記課題を解決するために、請求項１に記載された発明は、画像形成装置本体が、画像形成装置本体に装着される付属機器との接地用導電部を備え、接地用導電部は画像形成装置本体に出没自在に設けてあることを特徴とする。
【０００９】
請求項２に記載された発明は、請求項１に記載の発明において、画像形成装置本体は、接地用導電部を突設位置と突設位置から画像形成装置内の格納位置とに駆動するアクチュエータと、アクチュエータの駆動制御部とを備えることを特徴とする。
【００１０】
請求項３に記載された発明は、請求項１又は２に記載の発明において、画像形成装置本体は、付属機器を取付ける取付部を有し、接地用導電部は、取付部に対する二次元位置が、機種にかかわらず同じ位置としてあることを特徴とする。
【００１１】
請求項４に記載された発明は、請求項１〜３のいずれか一項に記載の発明において、付属機器にはコード信号が設定してあり、駆動制御部は、付属機器から受けるコード信号により接地用導電部を突設し又は格納位置に没することを特徴とする。
【００１２】
請求項５に記載された発明は、請求項１〜４のいずれか一項に記載の発明において、付属機器は画像形成装置本体の原稿読取面に開閉自在に設けた自動原稿搬送装置であり、接地用導電部は突設位置にあるときに自動原稿搬送装置側に向けて突設してあり、自動原稿装置を閉じたときに自動原稿装置の導電部に接触することを特徴とする。
【発明の効果】
【００１３】
本発明によれば、画像形成装置本体には接地用導電部を設けてあるので、接地用導電部の取付け忘れを防止できる。また、接地用導電部が必要であるものと必要でないもののいずれの場合にも画像形成装置本体に接地用導電部を取付けるので、出荷用機種や梱包の種類の増加を防止できる。
【００１４】
更に、接地用導電部は出没自在に設けているので、必要ない場合には画像形成装置本体内に没することにより、画像形成装置本体の外観（デザイン）を損なうことがなく、不必要な突起がないので安全性を向上させることができる。
【発明を実施するための最良の形態】
【００１５】
以下に、添付図面を参照して、本発明の実施の形態を詳細に説明する。図１（ａ）は本実施の形態にかかる画像形成装置の斜視図であり、（ｂ）は（ａ）に二点鎖線で示すＡ部の断面図であり、図２は本実施の形態にかかる画像形成装置のブロック図であり、図３は付属機器の取付部と導電部材との位置関係を示す平面図であり、（ａ）は図１に示す画像形成装置の平面図であり、（ｂ）は他の機種の場合における画像形成装置の平面図であり、図４は本発明の変形例にかかる画像形成装置のブロック図である。
【００１６】
本発明にかかる画像形成装置１はファックス機能を備えた複合複写機であり、画像形成装置本体３には、自動原稿搬送装置（付属機器）５が取付けられている。
【００１７】
画像形成装置本体３には、原稿読取面（コンタクトガラス）７と、操作パネル９と、排紙トレイ１３とが設けてあり、原稿読取面７に載置して原稿を読み取って、読み取った画像を給紙された用紙に形成するようになっている。尚、給紙は手差し給紙部１１のほかに内部に載置された自動給用トレイからもできるようになっている。
【００１８】
原稿読取面７の横で且つ操作パネル９側には接地用導電部１５が設けてある。この接地用導電部１５は、ＥＭＩ（電磁干渉）強化対策用に設けてあり、自動原稿搬送装置（ＡＤＦ）５を閉じたときに自動原稿搬送装置５の導電部２９に接触することにより、画像形成本体３を通じて自動原稿搬送装置５の接地を図るものである。
【００１９】
接地用導電部１５は、画像形成装置本体３の上面に出没自在に設けてあり、導電部材１７と、スプリング１９と、間隔を開けて配置された上下の導電フレーム２１ａ、２１ｂと、アクチュエータ２３とから構成されている。導電部材１７は棒状であり、上下の導電フレーム２１ａ、２１ｂに挿通して設けてあると共に胴部１７ａに鍔１７ｂが設けてある。
【００２０】
スプリング１９は導電性のコイルスプリングであり、導電部材１７の周囲に巻回して下導電フレーム２１ｂと導電部材１７の鍔１７ｂとの間に配置されている。
【００２１】
アクチュエータ２３は導電部材１７の下端に連結してあり、制御部２５から通電信号を受けると、アクチュエータ２３に通電して導電部材１７を下方に引き下げて、導電部材１７の上面を上フレーム２１ａの上面よりも下方に移動して導電部材１７を本体内に格納する。
【００２２】
自動原稿搬送装置５は、取付部２７、２７により画層形成装置本体３に開閉自在に取付けられている。自動原稿搬送装置５は、画像形成装置本体３に対向する位置に導電部２９が設けてあり、自動原稿搬送装置５が閉じた位置にあるときに接地用導電部１５の導電部材１７に接触するようになっている。取付部２７、２７は、ヒンジであり、画像形成装置本体３に対して自動原稿搬送装置５が開閉自在に取付けてある。
【００２３】
図３に示すように、自動原稿搬送装置（付属機器）５の一方の取付部２７に対する接地用導電部１５の位置は、二次元位置（ＸＹ）が画像形成装置本体３の機種毎に同じにしている。即ち、図３（ａ）に示す実施の形態にかかる画像形成装置本体３における取付部２７に対する接地用導電部１５のＸＹ位置は、図３（ｂ）に示す他の機種による画像形成装置本体４１の場合でも同じＸＹ位置に設けてある。
【００２４】
自動原稿搬送装置（ＡＤＦ）５の制御部３１には、予め接地用導電部１５との接触を必要とするコード信号が入力してあり、画像形成装置本体３と自動原稿搬送装置５とが接続されたときに、接地用導電部１５との接触を必要とするコード信号を周辺機コード格納部
（コード信号格納部）３２から画像形成装置本体３の制御部２５に送信する。
【００２５】
一方、本体の制御部２５には、複写機機種コードや対応必要周辺機等の対応コード格納部３３と判定部３５とが設けてあり、判定部３５が付属機器５の制御部３１から受けたコードを判定して、接地用導電部１５を格納するか否か判定する。
【００２６】
尚、図２に示すように、本実施の形態では、自動原稿搬送装置（ＡＤＦ）５の制御部３１に接地用導電部１５との接触を不用とするコードが入力されている場合にのみ、画像形成装置本体３の制御部２５はアクチュエータ２３を駆動して接地用導電部１５の導電部材１７を本体３内に格納する。
【００２７】
次に、本実施の形態にかかる画像形成装置の作用および効果について説明する。画像形成装置本体３には接地用導電部１５の導電部材１７が自動原稿搬送装置５側に向けて突設して設けてある。画像形成装置本体３に自動原稿搬送装置５を装着すると、自動原稿搬送装置５の制御部３１には、予め設定されているコード信号を画像形成装置本体３の制御部２５に発信する。本実施の形態においては、接地用導電部１５との接地が必要であるから、制御部２５は導電部材１７が突設した状態にあることを維持する。
【００２８】
一方、図２に示すように、自動原稿搬送装置５の制御部３１に、接地不要であるコード信号が設定されている場合には、画像形成装置本体３の制御部２５がこのコード信号を受けて、アクチュエータ２３を駆動し、導電部材１７を上導電フレーム２１の上面よりも下に位置するように導電部材１７を本体内に格納する。
【００２９】
画像形成装置本体３には接地用導電部１５を設けてあるので、接地用導電部１５の取付け忘れを防止できる。また、接地用導電部１５が必要であるものと必要でないもののいずれの場合にも画像形成装置本体３に接地用導電部１５を取付けるので、出荷用機種や梱包の種類の増加を防止できる。
【００３０】
更に、接地用導電部１５は格納自在であるから、必要ない場合には画像形成装置本体３内に格納することにより、外観（デザイン）を損なうことがなく、不必要な突起がないので安全性を向上させることができる。
【００３１】
接地用導電部１５は、アクチュエータ２３により導電部材１７を移動して格納するので、簡単でコンパクトな構成により画像形成装置本体３から出没できる。
【００３２】
接地用導電部１５は自動原稿搬送装置（付属機器）５の取付部２７に対する二次元位置（ＸＹ）が画像形成装置本体３の機種毎に同じにしているので、機種が異なる場合にも共通して用いることができる。
【００３３】
アクチュエータ２３の駆動制御部２５は、自動原稿搬送装置（付属機器）５から信号を受けて、アクチュエータ２３を駆動するので、接地用導電部１５の出没を自動的に行うことができる。
【００３４】
本発明は上述した実施の形態に限定されず、その要旨を逸脱しない範囲で種々の変形が可能である。例えば、図４に示すように、接地用導電部１５は画像形成装置本体３に格納（没状態）しておき、自動原稿搬送装置（付属機器）からの導電部接触要のコードを受けて、アクチュエータを駆動して画像形成装置本体から突出させるものであってもよい。
【００３５】
付属機器５は、自動原稿搬送装置に限らず、スタック装置や、穴あけ装置、綴じ装置等の後処理装置であっても同様の作用効果を奏することができる。
【００３６】
接地用導電部１５の出没は、アクチュエータ２３に限らず、レバーやスイッチ切替等により行うものであっても良い。
【図面の簡単な説明】
【００３７】
【図１】（ａ）は本実施の形態にかかる画像形成装置の斜視図であり、（ｂ）は（ａ）に二点鎖線で示すＡ部の断面図である。
【図２】本実施の形態にかかる画像形成装置のブロック図である。
【図３】取付部と導電部材との位置関係を示す平面図であり、（ａ）は図１に示す画像形成装置の平面図であり、（ｂ）は他の機種の場合における画像形成装置の平面図である。
【図４】本発明の変形例にかかる画像形成装置のブロック図である。
【符号の説明】
【００３８】
１          画像形成装置
３          画像形成装置本体
５          自動原稿搬送装置（付属機器）
７          画像読取面
１５        接地用導電部
１７        導電部材
２３        アクチュエータ
２７        取付部
３１        ＡＤＦの制御部
３２        コード信号格納部
Ｘ、Ｙ      二次元位置
【図１】
2007158743.tif 000003
【図２】
2007158743.tif 000004
【図３】
2007158743.tif 000005
【図４】
2007158743.tif 000006